(57)【要約】【課題】ポストに投函可能な程度にコンパクトな立体電飾カードを提供する。【解決手段】立体電飾カード１は、折り目で２つ折り可能な２つの面を有するカード本体２と、面の一方に一方の表面が固定されまたは面のそれぞれに表面の一方および他方が固定されておりシートを折り重ねて積層され広げたときに立体的形状になるハニカムデコレーション３と、ハニカムデコレーションの区画から外部に光が漏れるように配置された発光装置４と、を有する。【選択図】    図１
2008055879.tif 000002
【特許請求の範囲】
【請求項１】
折り目で２つ折り可能な２つの面を有するカード本体と、
前記面の一方に一方の表面が固定されまたは前記面のそれぞれに表面の一方および他方が固定されておりシートを折り重ねて積層され広げたときに立体的形状になるハニカムデコレーションと、
前記ハニカムデコレーションの区画から外部に光が漏れるように配置された発光装置と、を有する
ことを特徴とする立体電飾カード。
【請求項２】
前記発光装置は、
前記ハニカムデコレーションを広げたときに前記ハニカムデコレーション内に収容されるように配置されてなる
請求項１に記載の立体電飾カード。
【請求項３】
音を発生させる音発生装置を有する
請求項１または請求項２に記載の立体電飾カード。
【請求項４】
前記音発生装置は、
前記ハニカムデコレーションを広げたときに前記ハニカムデコレーション内に収容されるように配置されてなる
請求項３に記載の立体電飾カード。
【請求項５】
前記ハニカムデコレーションは、ホログラムが施された材料により形成されている
請求項１ないし請求項４のいずれか１項に記載の立体電飾カード。
【発明の詳細な説明】
【技術分野】
【０００１】
本発明は、装飾が施されたバースデーカード、クリスマスカード等のカードに関する。
【背景技術】
【０００２】
従来、親しい知人間では誕生日にバースデーカードを送ったり、クリスマスにはクリスマスカードを送ることがなされ、また、出産、入学または卒業祝いにカードを送ることもなされている。文具店、デパートの文具売り場等では、きれいにデザインされたこれらのカードが販売され、購入を予定する者は受取人が喜ぶ姿を想像しながらカードを選び購入する。カード購入を予定する者は、また、様々にデザインされたカードを手に取り、眺め、選ぶ作業も楽しむことができる。
これらのカードには、風景、動植物の象徴化された絵もしくは写真またはキャラクター等が多色刷りで印刷されている。
【発明の開示】
【発明が解決しようとする課題】
【０００３】
ところで、絵本などでは子供の想像力を助けるために頁を繰ると絵が立体的に現れるものが好評である。そして、バースデーカード、クリスマスカード等のグリーティングカード、出産、入学または卒業祝いのカードについても、絵が立体的であれば、送られた者が喜ぶことが想像される。さらに、クリスマスカードに電飾を施すことができれば、さらにクリスマスカードを受け取る者を喜ばせることができる。
ところで、クリスマスカード等は普通郵便により送付されるのが通常であり、クリスマスカード等は、ポストに投函されることを考慮するとその大きさおよび厚みに制限がある。したがって、カードに立体的な加工を施すとしても、ポストに投函可能であることという制限内で行わなければならないという問題がある。
【０００４】
本発明は、上述の問題に鑑みてなされたもので、ポストに投函可能な程度にコンパクトな立体電飾カードを提供することを目的とする。
【課題を解決するための手段】
【０００５】
前記目的を達成するため、本発明においては以下の技術的手段を講じた。
すなわち、本発明に係る立体電飾カードは、折り目で２つ折り可能な２つの面を有するカード本体と、前記面の一方に一方の表面が固定されまたは前記面のそれぞれに表面の一方および他方が固定されておりシートを折り重ねて積層され広げたときに立体的形状になるハニカムデコレーションと、前記ハニカムデコレーションの区画から外部に光が漏れるように配置された発光装置と、を有する。
こでいう「ハニカムデコレーションを広げたとき」とは、ハニカムデコレーションがほぼ３６０度開いたときをいう。
【０００６】
好ましくは、前記発光装置は、発光する発光部が前記ハニカムデコレーションの区画内に配置される。
好ましくは、前記立体電飾カードは、音を発生させる音発生装置を有する。
また、好ましくは、前記音発生装置は、前記ハニカムデコレーションを広げたときに前記ハニカムデコレーション内に収容されるように配置される。
前記ハニカムデコレーションは、ホログラムが施された材料により形成することができる。
【０００７】
上記における「区画」は、ハニカムデコレーションにおける積層されたシートにより仕切られる１つ１つの空間をいう。
なお、上記「立体電飾カード」は、通常の定形郵便で郵送可能な大きさに限られず、例えばＡ４用紙の大きさのものも含むものとする。
【発明の効果】
【０００８】
本発明によると、ポストに投函可能な程度にコンパクトな立体電飾カードを提供することができる。
【発明を実施するための最良の形態】
【０００９】
図１は本発明に係る立体電飾カード１の開かれた状態の外観図である。
図１において、立体電飾カード１は、カード本体２、ハニカムデコレーション３、発光装置４、および制御装置５等からなる。
カード本体２は、２つ折りされた筆記可能な紙で形成されている。カード本体２の両面または一方の面は彩色されまたは絵が描かれている。また、折り畳んだときに内側になる面には、メッセージ欄が設けられている。
ハニカムデコレーション３は、「でんぐり」とも呼ばれる、広げたときに立体的形状になるように紙が折り重ねて積層されたもので、例えばエクセルポイント株式会社が販売するハニカムシート（ＵＲＬ：http://www.excelpoint.co.jp/honey.html）を半円形に裁断して形成したものである。ハニカムデコレーション３は、一方の面がカード本体２の一方の内面に、他方の面がカード本体２の他方の内面に貼り付けられている。
【００１０】
発光装置４は、複数の発光ダイオード（以下「ＬＥＤ」ということがある）７，…，７で構成されている。ＬＥＤ７，…，７は、ハニカムデコレーション３の区画（積層された紙により仕切られる１つ１つの空間をいう）の中に１つずつ適度な間隔を有して配置されている。ＬＥＤ７，…，７に電流を供給する複数の導線８，…，８は、ハニカムデコレーション３の内部で１本に纏められ、カード本体２を貫通して外部の制御装置５に接続されている。
制御装置５は、スイッチ１０が操作されたときに一定時間ＬＥＤ７，…，７を点滅させるためのものである。ＬＥＤ７，…，７の点滅は一定数の群が同期しかつ各群は同期されずにランダムに行われる。また、制御装置５には音発生装置６が組み込まれている。音発生装置６は、カードの使用目的に合わせた曲を、スイッチ１０が操作されたときから一定時間電子音で演奏する。制御装置５は、集積回路（ＩＣ）を含む電子回路で構成されている。制御装置５には、ＬＥＤ７，…，７を点滅させ電子音を発生させる電源としてボタン電池が内蔵されている。
【００１１】
スイッチ１０は、立体電飾カード１を折り畳んだときに内側となるカード本体２の面に設けられている。
立体電飾カード１は、カード本体２が綴じられた（図１の２点鎖線の）状態では、ＬＥＤ７，…，７および導線８，…，８が折り重なったハニカムデコレーション３の内部に収容される。したがって、立体電飾カード１は、全体の厚みをポストに投函して郵送することが可能な程度に収めることが可能である。
図２は他の実施形態における本発明に係る立体電飾カード１Ｂの綴じた状態の外観図、図３は立体電飾カード１Ｂの開かれた状態での外観図である。
【００１２】
図２および図３において、立体電飾カード１Ｂは、カード本体２Ｂ、ハニカムデコレーション３Ｂ、発光装置４Ｂおよび制御装置５Ｂ等からなる。
ハニカムデコレーション３Ｂは、立体電飾カード１に使用されたものと同じようにハニカムシートを半円形に裁断し、さらに開くときの中心側に同心円の半円形切り込みを設けたものである。ここで、「開くときの中心側」とは、ハニカムデコレーション３Ｂをでんぐり返らせるときに中心となる側をいう。
ハニカムデコレーション３Ｂは、一方の面がカード本体２Ｂの一方の内面に貼り付けられてカード本体２Ｂに一体化され、他方の面にはハニカムデコレーション３Ｂの裁断形状にほぼ同じ形状の厚紙１１Ｂが貼り付けられている。ハニカムデコレーション３Ｂを開いた状態に維持するために、厚紙１１Ｂには突出部１２Ｂが設けられ、カード本体２Ｂには突出部１２Ｂを係止するための係止部１３Ｂが設けられている。
【００１３】
発光装置４Ｂは複数のＬＥＤ７Ｂ，…，７Ｂで構成される。ＬＥＤ７Ｂ，…，７Ｂは、一側面がカード本体２Ｂに固定され形状が略直方体であるシャーシ１４Ｂの上面に複数配置されている。ＬＥＤ７Ｂ，…，７Ｂは、同一色または異なる色のもののいずれを使用してもよい。
制御装置５Ｂは、立体電飾カード１における制御装置５と同様に、スイッチ１０Ｂが操作されたときに一定時間ＬＥＤ７Ｂ，…，７Ｂを点滅させる。点滅は、ＬＥＤ７Ｂ，…，７Ｂの色ごとにまたは複数の群ごとに同期させて行われる。制御装置５Ｂには、ＬＥＤ７Ｂ，…，７Ｂを点滅させる電源としてボタン電池が内蔵されている。
【００１４】
発光装置４Ｂおよび制御装置５Ｂを一体化したシャーシ１４Ｂは、ハニカムデコレーション３Ｂの中心部の半円形切り込みの外側１５Ｂに配置されてカード本体２Ｂに固定されている。そのため、シャーシ１４Ｂは、ハニカムデコレーション３Ｂを開いたときにハニカムデコレーション３Ｂの内部に収容される形態となって外部から目立たないために、立体電飾カード１Ｂを見栄えよく形成することができる。
また、中心部に半円形切り込みを設けたことにより、ハニカムデコレーション３Ｂを開いたときにハニカムデコレーション３Ｂの中心側においても各区画を形成する紙の重なりが疎になり（紙の間隔が大きくなり）、ＬＥＤ７Ｂ，…，７Ｂの点滅の様子が外部からはっきりと観察することができる。
【００１５】
ＬＥＤ７Ｂ，…，７Ｂを点滅させるためのスイッチ１０Ｂは、ハニカムデコレーション３Ｂの下方に設けられ、導線９Ｂにより制御装置５Ｂに接続されている。
なお、シャーシ１４Ｂをカード本体２Ｂを綴じたときのハニカムデコレーション３Ｂの厚み以下にすることにより、郵送時における立体電飾カード１Ｂの厚みを薄くすることができる。
図２および図３において、切り込みの形状を矩形、多角形、その他の形状とすることができる。ただし、切り込みは、開くときの中心線の両端を含まないものであることを要する。
【００１６】
図４は他の実施形態における本発明に係る立体電飾カード１Ｃの綴じた状態での外観図である。
発光装置４Ｃを除き、立体電飾カード１Ｃにおけるカード本体２Ｃ、ハニカムデコレーション３Ｃおよび制御装置５Ｃの構成ならびにその動作は、立体電飾カード１Ｂにおけるものと同一である。
発光装置４Ｃは、シャーシ１４Ｃ内に組み込まれた複数のＬＥＤと、各ＬＥＤの光を伝送する複数の光ファイバー１６Ｃ，…，１６Ｃとからなる。光ファイバー１６Ｃ，…，１６Ｃは一定数ごとに群に纏められて群ごとにそれぞれの一端が１つのＬＥＤに光を受け入れ可能に接続されている。光ファイバー１６Ｃ，…，１６Ｃの他端は、ハニカムデコレーション３Ｃの区画に相互に適度な間隔を有して配置されている。ＬＥＤの点滅は同期されずにランダムに行われる。ＬＥＤの発した光は、ハニカムデコレーション３Ｃの区画に位置する光ファイバー１６Ｃ，…，１６Ｃの他端に伝送されて点滅する。
【００１７】
立体電飾カード１Ｃも、立体電飾カード１Ｂと同様に、ハニカムデコレーション３Ｃを開いたときにその内部にシャーシ１４Ｃが収容されるため見栄えがよい。また、立体電飾カード１Ｃが綴じられた状態でシャーシ１４Ｃがハニカムデコレーション３Ｃの中心部の半円形切り込みの外側１５Ｃに位置するので、郵送時の厚さを低減することができる。
図５は他の実施形態における本発明に係る立体電飾カード１Ｄの綴じた状態の外観図、図６は立体電飾カード１Ｄの半開きの状態の外観図である。
図５および図６において、立体電飾カード１Ｄは、カード本体２Ｄ、ハニカムデコレーション３Ｄ、発光装置４Ｄ、および制御装置５Ｄ等からなる。図５および図６に示される立体電飾カード１Ｄは、クリスマスカードとして使用されるものである。
【００１８】
カード本体２Ｄは、ハニカムデコレーション３Ｄの裁断形状、つまりクリスマスツリーに応じた形状の２枚の厚紙１１Ｄａ，１１Ｄｂからなる。なお、厚紙１１Ｄａ，１１Ｄｂは、立体電飾カード１Ｄを開いたときにクリスマスツリーに応じた形状になるように、線対称の関係を有する形状になっている。一方の厚紙１１Ｄａの表面にはクリスマスにふさわしい装飾がなされ、他方の厚紙１１Ｄｂの表面にはメッセージが書き込めるようになっている。
ハニカムデコレーション３Ｄは、開いたときにクリスマスツリーを表現する形状となるようにハニカムシートを裁断して形成される。綴じたときにおけるハニカムデコレーション３Ｄの両表面（図５における表側および裏側の面）には、厚紙１１Ｄａ，１１Ｄｂがその装飾された面が表になるようにして貼り付けられている。
【００１９】
一体化されたカード本体２Ｄおよびハニカムデコレーション３Ｄは、図５に示されるように、開くときの中心側に、凹状の切り込みが設けられている。
発光装置４Ｄは、シャーシ１４Ｄ内に組み込まれた複数のＬＥＤと、各ＬＥＤの光を伝送する複数の光ファイバー１６Ｄ，…，１６Ｄとからなる。光ファイバー１６Ｄ，…，１６Ｄは一定数ごとに群に纏められ、群ごとにその一端が１つのＬＥＤにその光を受け入れ可能に接続されている。各光ファイバー１６Ｄ，…，１６Ｄの他端は、ハニカムデコレーション３Ｄの区画に相互に適度な間隔を有して配置されている。
【００２０】
制御装置５Ｄは、スイッチ１０Ｄが操作されたときに一定時間ＬＥＤを点滅させるためのものである。ＬＥＤの点滅は一定数の群が同期しかつ各群は同期されずにランダムに行われる。ＬＥＤの発した光は、ハニカムデコレーション３Ｄの区画に位置する光ファイバー１６Ｄ，…，１６Ｄ内を伝送されて他端において点滅する。
制御装置５Ｄには音発生装置６Ｄが組み込まれている。音発生装置６Ｄは、立体電飾カード１Ｄの使用目的に合わせた曲例えばジングルベルを、スイッチ１０Ｄが操作されたときから一定時間電子音で演奏する。複数曲を連続して演奏するようにしてもよい。制御装置５Ｄは、集積回路（ＩＣ）を含む電子回路で構成される。制御装置５Ｄには、ＬＥＤを点滅させ電子音を発生させる電源としてボタン電池が内蔵されている。
【００２１】
発光装置４Ｄおよび制御装置５Ｄを一体化したシャーシ１４Ｄは、略直方体の形状を有し、ハニカムデコレーション３Ｄの中心部の切り込みの外側１５Ｄに配置されている。シャーシ１４Ｄは、ハニカムデコレーション３Ｄの区画に差し入れられた光フィァイバー１６Ｄ，…，１６Ｄによって、カード本体２Ｄおよびハニカムデコレーション３Ｄに実質的に一体化されている。そのため、立体電飾カード１Ｄは、ハニカムデコレーション３Ｄを開いたとき（でんぐり状態のとき）に、シャーシ１４Ｄがハニカムデコレーション３Ｄの内部に収容される形態となって外部から目立たないために、見栄えがよい。また、立体電飾カード１Ｄが綴じられた状態では、シャーシ１４Ｄがハニカムデコレーション３Ｄの中心部の切り込みの外側１５Ｄに位置するので、郵送時の厚さを低減することができる。
【００２２】
スイッチ１０Ｄは、立体電飾カード１Ｄの外部に設けられ、導線９Ｄによって制御装置５Ｄに接続されている。
立体電飾カード１Ｄは、図６に示されるような半開きの状態および厚紙１１Ｄａ，１１Ｄｂ同士が重なるでんぐり状態において、ハニカムデコレーション３Ｄの底面１７Ｄと厚紙１１Ｄａ，１１Ｄｂの下部端縁により自立させることができる。
立体電飾カード１，１Ｂ，１Ｃ，１Ｄは、いずれも専用封筒に入れられて郵送可能に構成されている。
【００２３】
上述の実施形態において、ホログラムの施されたシートまたは反射効果を有するシートを用いたハニカムシートによりハニカムデコレーションを形成してもよい。これらの素材をハニカムデコレーションに使用することにより、ＬＥＤの点滅する光がハニカムデコレーションのシートを通過する際にまたは反射する際に、幻想的な雰囲気を生み出すことができる。
また、立体電飾カード１，１Ｂ，１Ｃ，１Ｄにおける構成を、より形状の大きな絵本、説明書等の書籍に用いることができる。
【００２４】
制御装置５Ｂ，５Ｃ，５Ｄ、音発生装置６Ｄ、ＬＥＤ７Ｂを、シャーシ内に組み込むのではなく基板上に配置されたのみのものを使用してもよい。
その他、立体電飾カード１，１Ｂ，１Ｃ，１Ｄ、および立体電飾カード１，１Ｂ，１Ｃ，１Ｄの各構成または全体の構造、形状、寸法、個数、材質などは、本発明の趣旨に沿って適宜変更することができる。
【産業上の利用可能性】
【００２５】
本発明は、装飾が施されたバースデーカード、クリスマスカード等のカードに利用することができる。
【図面の簡単な説明】
【００２６】
【図１】本発明に係る立体電飾カードの開かれた状態の外観図である。
【図２】他の実施形態における立体電飾カードの綴じた状態の外観図である。
【図３】他の実施形態における立体電飾カードの開かれた状態での外観図である。
【図４】他の実施形態における立体電飾カードの綴じた状態での外観図である。
【図５】他の実施形態における立体電飾カードの綴じた状態の外観図である。
【図６】他の実施形態における立体電飾カードの半開きの状態の外観図である。
【符号の説明】
【００２７】
１，１Ｂ，１Ｃ，１Ｄ  立体電飾カード
２，２Ｂ，２Ｃ，２Ｄ  カード本体
３，３Ｂ，３Ｃ，３Ｄ  ハニカムデコレーション
４，４Ｂ，４Ｃ，４Ｄ  発光装置
６，６Ｄ  音発生装置
７，７Ｂ  発光装置（ＬＥＤ）
８  発光装置（導線）
１１Ｄａ，１１Ｄｂ  ハニカムデコレーションの表面（厚紙）
１６Ｃ，１６Ｄ  発光装置（光ファイバー）
【図１】
2008055879.tif 000003
【図２】
2008055879.tif 000004
【図３】
2008055879.tif 000005
【図４】
2008055879.tif 000006
【図５】
2008055879.tif 000007
【図６】
2008055879.tif 000008